(57)【要約】【課題】  予め補強用のリブプレートが柱脚部に形成された支柱に対して適用でき、このような既存の支柱に対して容易に取付け可能であり、確実に支柱の強度を向上することができる支柱柱脚部補強器具を提供する。【解決手段】  ベースプレートと、リブプレートとを有する支柱に取り付けられ、支柱の外周面を覆う円筒体２と、円筒体２の一方の端部から突出して設けられ、ベースプレートに固定される底板３と、底板３の外縁から円筒体２の一部に連続して形成される切欠き５と、円筒体２の軸方向に対して放射状に複数個突設して備わる板状の補強リブ４とを備えたパネル本体１からなり、底板３には、底板を貫通する固定孔９が備わり、パネル本体１は、パネル本体１を軸方向に分割した分割パネル６を接合して形成される。【選択図】        図１
0003127629.tif 000002
【実用新案登録請求の範囲】
【請求項１】
支柱柱脚部に備わり、当該支柱の下端から突設して設けられた平板状のベースプレートと、当該ベースプレートと前記支柱の側面に連続して固着されるリブプレートとを有する支柱に取り付けられる支柱柱脚部補強器具であって、
当該支柱の外周面を覆う円筒体と、
当該円筒体の一方の端部から、当該円筒体の軸に対して垂直方向に外側に突出して設けられ、前記ベースプレートに固定される底板と、
前記底板の外縁から前記円筒体の一部に連続して形成され、前記リブプレートが挿通可能な複数個の切欠きと、
前記円筒体と前記底板に連続して備わり、前記円筒体の軸方向に対して放射状に複数個突設して備わる板状の補強リブとを備えたパネル本体からなり、
前記底板には、前記支柱を前記ベースプレートを介してコンクリート基礎に固定するためのアンカーボルトを挿通可能であり、前記底板を貫通する固定孔が備わり、
前記パネル本体は、当該パネル本体を軸方向に分割した分割パネルを接合して形成されたことを特徴とする支柱柱脚部補強器具。
【請求項２】
前記分割パネルは、互いにボルト締めされて接続されることを特徴とする請求項１に記載の支柱柱脚部補強器具。
【請求項３】
前記補強リブの上端部は、前記切欠きの上端部より高い位置に形成されることを特徴とする請求項１又は２に記載の支柱柱脚部補強器具。
【請求項４】
前記パネル本体には、前記円筒体の側面を貫通する開口部が備わることを特徴とする請求項１〜３のいずれかに記載の支柱柱脚部補強器具。
【請求項５】
下端部がコンクリート基礎に埋設された支柱の柱脚部に取り付けられる支柱柱脚部補強器具であって、
当該支柱の外周面を覆う円筒体と、
当該円筒体の一方の端部から、当該円筒体の軸に対して垂直方向に外側に突出して設けられた底板と、
前記円筒体と前記底板に連続して備わり、前記円筒体の軸方向に対して放射状に複数個突設して備わる板状の補強リブとを備えたパネル本体からなり、
前記底板には、前記コンクリート基礎に打設したアンカーボルトを挿通可能であり、前記底板を貫通する固定孔が備わり、
前記パネル本体は、当該パネル本体を軸方向に分割した分割パネルを接合して形成されたことを特徴とする支柱柱脚部補強器具。
【考案の詳細な説明】
【技術分野】
【０００１】
この考案は、道路情報板等を取付けた支柱の柱脚部を補強する支柱柱脚部補強器具に関するものである。
【背景技術】
【０００２】
道路情報板等の路上設備を支持する支柱において、旧基準で設計されたものは現行基準に比べて地震荷重に対する強度が十分でなく、場合によっては倒壊や折損するおそれがある。この強度を向上させるために、支柱を交換して対応しているが、支柱の交換には工事のための交通規則、既設設備撤去を含め、一定の工事期間と多くの費用が必要となり、手間がかかり面倒であった。
【０００３】
既存の支柱は、予め支柱柱脚部に補強のためのリブプレートを形成した支柱が立設されているが、このリブプレートだけでは強度的に不十分である。リブプレートは、支柱に対して溶着接合されているため、リブプレートだけを支柱から取り外すことが困難である。したがって、このようなリブプレートが形成された支柱に対してそのまま適用することができる補強パネルが望まれている。これにより、既存の支柱を有効に利用して補強でき、支柱交換工事を減少させ、コスト及び資源の節約を図ることができる。
【０００４】
このようなリブプレートが形成されない鋼管柱基部の補強構造が特許文献１に記載されている。この鋼管柱基部の補強構造は、鋼管柱の基部をテーパリングにより補強するものである。
【０００５】
【特許文献１】特開２００３−２０８２０号公報
【考案の開示】
【考案が解決しようとする課題】
【０００６】
しかし、特許文献１の鋼管柱基部の補強構造は、予めリブプレートが形成されて補強が施された支柱に対してそのまま適用することができない。したがって、このような既存の支柱を有効に利用して補強することができない。また、特許文献１の鋼管柱基部の補強構造は、テーパリングがベースプレートと別体であるので、現場にてこれを溶接する作業が必要となり、取り付けの際に手間がかかり面倒である。
【０００７】
この考案は上記従来技術を考慮したものであって、予め補強用のリブプレートが柱脚部に形成された支柱に対して適用でき、このような既存の支柱に対して容易に取付け可能であり、確実に支柱の強度を向上することができる支柱柱脚部補強器具の提供を目的とするものである。
【課題を解決するための手段】
【０００８】
前記目的を達成するため、請求項１の考案では、支柱柱脚部に備わり、当該支柱の下端から突設して設けられた平板状のベースプレートと、当該ベースプレートと前記支柱の側面に連続して固着されるリブプレートとを有する支柱に取り付けられる支柱柱脚部補強器具であって、当該支柱の外周面を覆う円筒体と、当該円筒体の一方の端部から、当該円筒体の軸に対して垂直方向に外側に突出して設けられ、前記ベースプレートに固定される底板と、前記底板の外縁から前記円筒体の一部に連続して形成され、前記リブプレートが挿通可能な複数個の切欠きと、前記円筒体と前記底板に連続して備わり、前記円筒体の軸方向に対して放射状に複数個突設して備わる板状の補強リブとを備えたパネル本体からなり、前記底板には、前記支柱を前記ベースプレートを介してコンクリート基礎に固定するためのアンカーボルトを挿通可能であり、前記底板を貫通する固定孔が備わり、前記パネル本体は、当該パネル本体を軸方向に分割した分割パネルを接合して形成されたことを特徴とする支柱柱脚部補強器具を提供する。
【０００９】
また、請求項２の考案では、請求項１に記載の考案において、前記分割パネルは、互いにボルト締めされて接続されることを特徴としている。
【００１０】
また、請求項３の考案では、請求項１又は２に記載の考案において、前記補強リブの上端部は、前記切欠きの上端部より高い位置に形成されることを特徴としている。
【００１１】
また、請求項４の考案では、請求項１〜３のいずれかに記載の考案において、前記パネル本体には、前記円筒体の側面を貫通する開口部が備わることを特徴としている。
【００１２】
さらに、請求項５の考案では、下端部がコンクリート基礎に埋設された支柱の柱脚部に取り付けられる支柱柱脚部補強器具であって、当該支柱の外周面を覆う円筒体と、当該円筒体の一方の端部から、当該円筒体の軸に対して垂直方向に外側に突出して設けられた底板と、前記円筒体と前記底板に連続して備わり、前記円筒体の軸方向に対して放射状に複数個突設して備わる板状の補強リブとを備えたパネル本体からなり、前記底板には、前記コンクリート基礎に打設したアンカーボルトを挿通可能であり、前記底板を貫通する固定孔が備わり、前記パネル本体は、当該パネル本体を軸方向に分割した分割パネルを接合して形成されたことを特徴とする支柱柱脚部補強器具を提供する。
【考案の効果】
【００１３】
請求項１の考案によれば、複数個の分割パネルを、支柱の柱脚部において互いに接合し、支柱のベースプレートに各底板を固定するだけで取り付けることができるため、既存の支柱に対して容易に短時間で取り付けることができ、作業性が向上する。また、補強リブにより、支柱を確実に補強することができ、この考案に係る支柱柱脚部補強器具全体でさらに確実に支柱を補強することができる。また、リブプレートが切欠きを挿通可能であるため、リブプレートが予め形成された既存の支柱に対して適用できる。また、支柱を固定するためのアンカーボルトを利用してパネル本体の底板をベースプレート上に固定できるので、さらに支柱にかかる荷重応力を分担させることができる。
【００１４】
請求項２の考案によれば、分割パネルをボルト締めで互いに接続するので、支柱への取り付けの際にコンクリートや接着剤等が不要となり、設置後に直ちにその補強効果を得ることができる。また、ボルトの締め付けにより各分割パネルは支柱に密着するので、支柱にかかる荷重応力を確実に分担させることができる。
【００１５】
請求項３の考案によれば、補強リブの上端部は、切欠きの上端部より高い位置に形成されるため、切欠きを挿通する既存のリブプレートよりも支柱に対して高い位置で補強リブが支柱を補強する。このため、既存のリブプレートにかかる荷重応力を低減することができ、支柱を安定して支えることができる。また、パネル本体の上端部は補強リブの上端部より高い位置なので、さらに支柱を安定して支えることができる。
【００１６】
請求項４の考案によれば、中空の支柱に電線等の配線が通され、これを取り出すための作業穴が支柱側面に形成されていても、開口部を通して配線作業を行うことができる。
【００１７】
請求項５の考案によれば、コンクリート基礎に底板をアンカーボルトで固定して、パネル本体で支柱を覆って補強することができるので、支柱にリブプレートやベースプレートが備わっていない場合にも確実に支柱を補強することができる。取り付けは、アンカーボルトをコンクリート基礎に打設して複数個の分割パネルを、支柱の柱脚部において互いに接合し、各底板をアンカーボルトに固定するだけなので、既存の支柱に対して容易に短時間で取り付けることができ、作業性が向上する。
【考案を実施するための最良の形態】
【００１８】
この考案は、支柱柱脚部に備わり、当該支柱の下端から突設して設けられた平板状のベースプレートと、当該ベースプレートと前記支柱の側面に連続して固着されるリブプレートとを有する支柱に取り付けられる支柱柱脚部補強器具であって、当該支柱の外周面を覆う円筒体と、当該円筒体の一方の端部から、当該円筒体の軸に対して垂直方向に外側に突出して設けられ、前記ベースプレートに固定される底板と、前記底板の外縁から前記円筒体の一部に連続して形成され、前記リブプレートが挿通可能な複数個の切欠きと、前記円筒体と前記底板に連続して備わり、前記円筒体の軸方向に対して放射状に複数個突設して備わる板状の補強リブとを備えたパネル本体からなり、前記底板には、前記支柱を前記ベースプレートを介してコンクリート基礎に固定するためのアンカーボルトを挿通可能であり、前記底板を貫通する固定孔が備わり、前記パネル本体は、当該パネル本体を軸方向に分割した分割パネルを接合して形成されるため、複数個の分割パネルを、支柱の柱脚部において互いに接合し、支柱のベースプレートに各底板を固定するだけで取り付けることができるため、既存の支柱に対して容易に短時間で取り付けることができ、作業性が向上する支柱柱脚部補強器具である。
【実施例１】
【００１９】
図１はこの考案に係る支柱柱脚部補強器具を示し、（Ａ）は正面図、（Ｂ）は平面図であり、図２は分割パネルの概略構成図である。
【００２０】
図示したように、パネル本体１は、円筒体２と、底板３と、補強リブ４で構成される。底板３は、円筒体２の下端部から、円筒体２の軸に対して垂直方向に外側に突出して設けられる。円筒体２と底板３には、底板３の外縁から円筒体２の側面にかけて連続して切欠かれた切欠き５が複数個（図では４個）形成される。したがって、底板３は切欠き５の数だけ分割される。補強リブ４は板状であり、底板３の上面と円筒体２の側面に連続し、これらの両方に固着されて円筒体２の軸方向に対して放射状に複数個（図では８個）形成される。９は底板３を貫通する固定孔であり、これについては後述する（図３）。
【００２１】
パネル本体１は、円筒体２の軸方向に複数個（図では４個）に分割された分割パネル６を接合して形成される。なお、図では分割面Ｐを円筒体２のみに形成した例を示したが、円筒体２と底板３とが連続した部分を分割して分割パネル６を形成してもよい。円筒体２の側面、すなわち隣り合う分割パネル６の分割面Ｐを介して対向する位置には、取付け片７が複数個（図では１個の分割パネル６に３個）備わる。分割パネル６を接合する場合は、隣り合う分割パネル６の互いの取付け片７をボルト８とナット１６によるボルト締めで行われる。このボルト締めは、ボルト８を相対向する二つの取り付け片７に形成された各ボルト孔に挿入し、取り付け片７から突出するボルト８の端部にナット１６を螺着し、当該ナット１６を締め付けて互いの取付け片７を近づけることにより行われる。
【００２２】
パネル本体１は、後述する図３に示すように、円筒体２で支柱Ｓの柱脚部を覆って取付けられる。このとき、複数個の分割パネル６を、支柱Ｓの柱脚部において互いに接合し、支柱Ｓのベースプレート１０に底板３を固定するだけで取り付けることができるため、既存の支柱Ｓに対して容易に短時間で取付けることができ、作業性が向上する。また、隣り合う分割パネル６をボルト締めで互いに接続するので、支柱Ｓへの取り付けの際にコンクリートや接着剤等が不要となり、設置後に直ちにその補強効果を得ることができる。また、ボルト８の締め付けにより各分割パネル６は支柱Ｓに密着するので、支柱Ｓにかかる荷重応力を確実に分担させることができる。
【００２３】
図３はこの考案に係る支柱柱脚部補強器具を支柱に取付けた状態を示す概略構成図である。
【００２４】
図示したように、各分割パネル６を接合して円筒体２で支柱Ｓを覆うことにより、パネル本体１が支柱Ｓの柱脚部に取付けられる。支柱Ｓには、コンクリート基礎１１に接する位置に平板状のベースプレート１０が備わる。支柱Ｓの側面には、リブプレート１２が備わる。このリブプレート１２は、支柱Ｓの側面とベースプレート１０に連続して固着される。パネル本体１を支柱Ｓに取付けた際、切欠き５からリブプレート１２が突出する。すなわち、切欠き５の高さはリブプレート１２の高さより高い。このため、リブプレート１２が予め形成された既存の支柱Ｓに対して容易に適用できる。このように、この考案に係る支柱柱脚部補強器具は、既存のリブプレート１２を有する支柱Ｓに適用できるため、支柱補強のために新たな支柱を設置する必要がなくなり、既存の支柱Ｓを有効に利用して支柱交換工事を減少させ、コスト及び資源の節約を図ることができる。
【００２５】
また、補強リブ４の上端部は、切欠き５の上端部より高い位置に形成される。すなわち、補強リブ４の上端部はリブプレート１２の上端部よりも高い。このため、リブプレート１２よりも支柱Ｓに対して高い位置で補強リブ４が支柱Ｓを補強することになる。したがって、リブプレート１２にかかる荷重応力を低減でき、安定して支柱Ｓを支えることができる。
【００２６】
支柱Ｓはベースプレート１０を介してアンカーボルト１３でコンクリート基礎１１にナットで固定される。パネル本体１は、各分割パネル６の底板３の固定孔９（図１参照）にアンカーボルト１３を挿通してベースプレート１０とともにナット締めしてコンクリート基礎１１に固定される。このようにパネル本体１を支柱Ｓに対してボルト締めのみならずアンカーボルト１３で固定することにより、さらに支柱Ｓにかかる荷重応力を分担させることができる。
【００２７】
パネル本体１で支柱Ｓを補強する工程を以下に示す。まず、支柱Ｓの既存アンカーボルトに螺着するナットのうち底板３を固定する位置にあるナットを取り外す。次に、複数枚の分割パネル６で支柱Ｓを覆い、対応する取付け片７をボルト８にて仮止めする。このとき、切欠き５にリブプレート１２を通し、長孔からなる固定孔９（図１参照）にアンカーボルト１３を挿通する。この後、仮止めしたボルト８をさらに締めつけて確実に接合するとともに、アンカーボルト１３に螺着したナットで底板３を締めつけてベースプレート１０上に底板３を固定する。これにより、パネル本体１の円筒体２が支柱Ｓに密着し、支柱Ｓが補強される。
【００２８】
図４はこの考案に係る別の支柱柱脚部補強器具を支柱に取付けた状態を示す概略構成図である。
【００２９】
図示したように、分割パネル６における取付け片７の位置をずらして、開口部１４が形成される。この開口部１４は、円筒体２を貫通するものである。上部に道路情報板等を備えた支柱Ｓは、電線等の配線（図示省略）を通すために中空に形成される。支柱Ｓには、この配線を取り出すための作業穴１５が開口し、開口部１４の位置をこの開口穴１５に合わせることにより、開口部１４を通して配線作業を行うことができる。したがって、パネル本体１を支柱Ｓに取付けても、配線作業の妨げになることはない。この開口部１４は、支柱Ｓに備わる作業穴１５の位置、形状に合わせて適宜形成することができる。なお、開口部１４は通常蓋部材（図示省略）で覆われる。その他の構成、作用、効果は図３と同様である。
【００３０】
図５はこの考案に係るさらに別の支柱柱脚部補強器具を示し、支柱に取り付ける際の状態を順番に示した概略構成図である。
【００３１】
（Ａ）に示すように、支柱Ｓがリブプレートもベースプレートも備えない状態でコンクリート基礎１１に埋め込み式の場合、まず支柱Ｓの周囲にアンカーボルト１３を打設する。次に、（Ｂ）に示すように、支柱Ｓにパネル本体１を取り付ける。支柱Ｓにリブプレートが備わらないため、パネル本体１にはこれを挿通するための切欠きを設けていない。
【００３２】
パネル本体１の取り付けは、まず、複数枚の分割パネル６で支柱Ｓを覆い、対応する取付け片７をボルト８にて仮止めする。このとき、長孔からなる固定孔９（図１参照）にアンカーボルト１３を挿通する。この後、仮止めしたボルト８をさらに締めつけて確実に接合するとともに、各アンカーボルト１３に螺着したナットで底板３を締めつけてコンクリート基礎１１に底板３を固定する。これにより、パネル本体１がアンカーボルト１３に確実に固定され、さらに円筒体２が支柱Ｓに密着するので、支柱Ｓが補強される。
【００３３】
これにより、コンクリート基礎１１に底板３をアンカーボルト１３で固定して、パネル本体１で支柱Ｓを覆って補強することができるので、支柱Ｓにリブプレートやベースプレート（図３参照）が備わっていない場合にも確実に支柱Ｓを補強することができる。取り付けは、アンカーボルト１３をコンクリート基礎１１に打設して複数個の分割パネル６を、支柱Ｓの柱脚部において互いに接合し、各底板３をアンカーボルト１３に固定するだけなので、既存の支柱Ｓに対して容易に短時間で取り付けることができ、作業性が向上する。その他の構成、作用、効果は図３と同様である。
【図面の簡単な説明】
【００３４】
【図１】この考案に係る支柱柱脚部補強器具を示し、（Ａ）は正面図、（Ｂ）は平面図である。
【図２】分割パネルの概略構成図である。
【図３】この考案に係る支柱柱脚部補強器具を支柱に取付けた状態を示す概略構成図である。
【図４】この考案に係る別の支柱柱脚部補強器具を電柱に取付けた状態を示す概略構成図である。
【図５】この考案に係るさらに別の支柱柱脚部補強器具を示し、支柱に取り付ける際の状態を順番に示した概略構成図である。
【符号の説明】
【００３５】
１：パネル本体、２：円筒体、３：底板、４：補強リブ、５：切欠き、６：分割パネル、７：取付け片、８：ボルト、９：固定孔、１０：ベースプレート、１１：コンクリート基礎、１２：リブプレート、１３：アンカーボルト、１４：開口部、１５：作業穴、１６：ナット、Ｐ：分割面、Ｓ：支柱
【図１】
0003127629.tif 000003
【図２】
0003127629.tif 000004
【図３】
0003127629.tif 000005
【図４】
0003127629.tif 000006
【図５】
0003127629.tif 000007